(57)【要約】【課題】ＣＰＵやＲＯＭ等の電子部品を封印する封印シールの剥離または切断を迅速・確実に検知できるようにする等の不正監視手段を備えた遊技機を提供する。【解決手段】ＩＣタグ１５１を内蔵させた封印シール１５０でＣＰＵチップ２００を封印し、ＩＣタグと随時、無線通信するＲＦＩＤ送受信部１０２及びアンテナパターン１０１を主制御基板１００に設ける。封印シールを基板から剥離した際には、シートアンテナとともに封印シールが切断破壊されるため、ＩＣタグの通信機能が不能となる。判定制御部１０５は、ＩＣタグからの信号レベルが基準値以下である場合に封印シールの剥離または切断を判定する。このときラッチ回路１２０は、所定の解除操作があるまでＣＰＵチップへその作動を禁止する信号を出力する。【選択図】図５
2009050537.tif 000002
【特許請求の範囲】
【請求項１】
基板の少なくとも何れか一つの面にソケットを介して着脱可能に装着される所定の電子部品を含めて構成される電子制御回路により遊技動作が制御される遊技機であって、
前記ソケットに装着される前記電子部品を跨いで前記基板に貼着することで当該電子部品の脱着を封印する封印シールと、
前記封印シールに内蔵されるＩＣタグと、
前記基板に設けられ、前記ＩＣタグに対し随時、無線通信を行う送受信手段と、
前記送受信手段が前記ＩＣタグから受信した信号のレベルが所定の基準値以下のときに前記封印シールの剥離又は切断を判定する判定制御手段と、を備えていることを特徴とする遊技機。
【請求項２】
前記封印シールは、前記基板に貼着する貼着力よりも小さいせん断力で破断するベースシートと、該ベースシートの少なくとも一方の側面に当該貼着力よりも小さい粘着力を有する粘着層が粘着形成され、
前記ベースシートと前記粘着層との境界に、前記ＩＣタグが無線信号を送受信するためのシートアンテナが形成され、
当該封印シールが前記基板から剥離する際に破壊することで前記ＩＣタグの通信機能が不能となることを特徴とする請求項１に記載の遊技機。
【請求項３】
前記判定制御手段が前記封印シールの剥離または切断を検知したときに出力する検知信号を保持する状態保持手段と、
該状態保持手段が前記検知信号を保持する間に出力する状態保持信号に基づいて、前記電子部品の作動を禁止若しくは制限する作動禁止信号を出力する作動禁止手段と、を更に備えていることを特徴とする請求項１又は２に記載の遊技機。
【請求項４】
所定の操作入力若しくは所定の複数の操作入力の組み合わせに応じて、前記状態保持手段に対し前記検知信号を保持する状態を解除する状態解除手段を更に備えていることを特徴とする請求項３に記載の遊技機。
【発明の詳細な説明】
【技術分野】
【０００１】
本発明は、スロットマシン、パチンコその他の遊技機に関し、特に不正行為を防止するための対策が講じられた遊技機に関する。
【背景技術】
【０００２】
例えばスロットマシンまたはパチンコ等の遊技機にあっては、ＣＰＵ、ＲＯＭ及びＲＡＭ等で構成された複数の制御基板が内部に設置され、主制御基板とよばれるメインの制御基板のＲＯＭに記憶されたシステムプログラムに従って全体の遊技動作が制御されるようになっている。例えばスロットマシンの場合には、上述の主制御基板が大当たりを抽選したり、大当たり時に連続して発生する入賞回数の管理等を行っており、このような大当たりを発生させる抽選確率や連続する入賞回数などの遊技の勝敗、すなわち出玉に関係する数値データが予めＲＯＭに設定されている。
【０００３】
なお、上述した遊技機の主制御基板に備えられるＣＰＵは、ＲＯＭ及びＲＡＭ等の半導体メモリと、その他信号の入出力に関わるインタフェース回路等とともに１つのチップにパッケージ化されているものが一般的である。通常、かかる専用のマイコンチップ（以下これを「ＣＰＵチップ」という。）は、主制御基板に対しソケットを介して着脱可能に装着されている。
【０００４】
ところで、遊技者のなかには、上述のＣＰＵチップやＲＯＭ等のＩＣ（電子部品）を不正に抜き取り、これらをより有利な条件で遊技ができるようにデータを改ざんした別のＩＣ（裏ＲＯＭ）に差し換えることで、高い配当を不当に得ようとする者がいる。このような不正行為がされると、遊技の公正さが失われるだけでなくホール側にも多大な損害を与えることとなる。
【０００５】
そこで、従来、遊技機の主制御基板においては、ＣＰＵチップとソケットの両者に跨るように封印シールが貼着され（例えば特許文献１参照）、更には基板自体を「かしめ」と呼ばれる特殊な封着手段を介して閉じられる透明な基板ケース内に収容している。
すなわち、封印シールが切断されるとその痕跡が残るようになっているため、透明な基板ケースの外部からでもＣＰＵチップへの不正がされた事実を容易に発見できるようにしている。
【０００６】
また、近年では、外部の検査装置との間で無線通信可能なＩＣチップを内蔵した封印シールで基板ケースを封印する提案がなされている（例えば特許文献２及び特許文献３参照）。これらの従来技術によると、封印シールが剥がされたり、基板ケースが開けられたりする場合に検査装置との間で無線データ通信ができなくなるため、当該封印シールに異常が発生したと判断することができる。
【０００７】
【特許文献１】特開２００７−０００３３２号公報
【特許文献２】特開２０００−３３４１５４号公報
【特許文献３】特開２００５−３４２０９７号公報
【発明の開示】
【発明が解決しようとする課題】
【０００８】
しかし、特許文献１の従来技術では、例えば鋭利なカミソリ等の刃を使って封印シールを切断せずに剥がした等の場合には、貼り直された封印シールに不正の痕跡が残らず、また接続回路が切断されずにセンサが反応しない等が想定され、必ずしも十分な不正対策とはいえなかった。
【０００９】
また、特許文献１及び特許文献２の従来技術では、外部の検査装置を用いて封印シールの状態を検査するため、封印シールに発生した異常の発見が遅れ、被害が拡大するおそれがあった。
【００１０】
本発明は、こうした課題に鑑みてなされたものであり、制御基板に実装されるＣＰＵやＲＯＭ等の電子部品を封印する封印シールの剥離または切断を迅速・確実に検知できるようにする等の不正監視手段を備えた遊技機を提供することを目的としている。また、本発明は、改造された電子部品による不正な遊技の実行を確実に防止し得る遊技機を提供することを目的としている。
【課題を解決するための手段】
【００１１】
上述した課題を解決するための有効な手段について、必要に応じて作用または効果等を示しながら説明する。なお、理解を容易にするため、本明細書中の実施の形態において対応する構成要素を符号とともに括弧書き等で適宜例示するが、これらの具体的構成は本発明を限定するものではない。
【００１２】
手段１．基板（主制御基板１００）の少なくとも何れか一つの面にソケット（ソケット２１０）を介して着脱可能に装着される所定の電子部品（ＣＰＵチップ２００）を含めて構成される電子制御回路により遊技動作が制御される遊技機（スロットマシン１）であって、前記ソケットに装着される前記電子部品を跨いで前記基板に貼着することで当該電子部品の脱着を封印する封印シール（封印シール１５０）と、前記封印シールに内蔵されるＩＣタグ（ＩＣタグ１５１）と、前記基板に設けられ、前記ＩＣタグに対し随時、無線通信を行う送受信手段（アンテナパターン１０１とＲＦＩＤ送受信部１０２）と、前記送受信手段が前記ＩＣタグから受信した信号のレベルが所定の基準値以下のときに前記封印シールの剥離又は切断を判定する判定制御手段（判定制御部１０５）と、を備えていることを特徴とする。
【００１３】
この手段によれば、判定制御手段は、送受信手段が封印シールに内蔵したＩＣタグから受信した信号のレベルが所定の基準値以下のときに、当該封印シールの剥離又は切断を判定する。これにより、封印シールの異常や不正を直ちに検知することができる。
【００１４】
手段２．前記封印シール（封印シール１５０）は、前記基板に貼着する貼着力よりも小さいせん断力で破断するベースシート（ベースシート１５０ａ）と、該ベースシートの少なくとも一方の側面に当該貼着力よりも小さい粘着力を有する粘着層（粘着層１５０ｂ、１５０ｃ）が粘着形成され、前記ベースシートと前記粘着層との境界に、前記ＩＣタグが無線信号を送受信するためのシートアンテナ（シートアンテナ１５６）が形成され、当該封印シールが前記基板から剥離する際に破壊することで前記ＩＣタグ（ＩＣタグ１５１）の通信機能が不能となることを特徴とする。
【００１５】
この手段によれば、例えば不正に封印シールを基板から剥がそうとしたときには、基板面に貼着する側の粘着層（粘着層１５０ｃ）が基板に残されてベースシートが剥がされ、またはベースシートの何れかの部分が切断して破壊する。これにより、封印シールとともにシートアンテナも切断破壊され、封印シールに内蔵されるＩＣタグは無線通信ができなくなるので、判定制御手段はその事実を迅速かつ確実に検知することができる。
また、同時に電子部品がソケットから脱着された事実や、または脱着まで至らなくても封印が一旦解かれた事実が封印シールの破壊された痕跡として残される。
【００１６】
手段３．前記判定制御手段が前記封印シールの剥離または切断を検知したときに出力する検知信号を保持する状態保持手段（ラッチ回路１２０）と、該状態保持手段が前記検知信号を保持する間に出力する状態保持信号に基づいて、前記電子部品の作動を禁止若しくは制限する作動禁止信号を出力する作動禁止手段（ラッチ回路１２０と反転回路１２３）と、を更に備えていることを特徴とする。
【００１７】
この手段によれば、判定手段が封印シールの剥離または切断を検知したときに出力する検知信号を、状態保持手段及び作動禁止手段である例えばラッチ回路１２０が保持し、それ以降当該電子部品の作動を禁止する作動禁止信号（例えばＣＰＵのチップイネーブル信号をネガティブにする等）を出力する。これにより、改造された電子部品による不正な遊技の実行を防止する。
【００１８】
手段４．所定の操作入力若しくは所定の複数の操作入力の組み合わせに応じて、前記状態保持手段に対し前記検知信号を保持する状態を解除する状態解除手段（主電源装置１２２のキースイッチＫＳＷを含む複数の操作入力手段と、操作入力手段からのスイッチ出力の論理判定を行うデコード回路１２１等）を更に備えていることを特徴とする。
【００１９】
この手段によれば、状態解除手段は、所定の操作入力に応じてラッチ回路１２０等の状態保持手段の保持状態を解除させ当該電子部品の作動を許可する。これにより、解除操作の手続きを複雑にし、特定者以外の者による不正な解除操作を困難にする。
【発明の効果】
【００２０】
上述したように本発明の遊技機によれば、例えば不正に封印シールを基板から剥がそうとしたときには、シートアンテナとともに封印シールが切断破壊され、封印シールに内蔵されているＩＣタグは、外部との無線通信ができなくなる。判定制御手段は、送受信手段が封印シールに内蔵したＩＣタグから受信した信号のレベルが所定の基準値以下のときに、当該封印シールの剥離又は切断を判定する。これにより、封印シールの異常や不正を直ちに検知することができる。
【００２１】
また、一旦、封印シールの剥離等を検知した場合には、それ以降当該電子部品の作動を禁止するため、改造された電子部品による不正な遊技の実行を未然に防止することができる。
また、所定の操作入力若しくは所定の複数の操作入力を条件に、当該電子部品の作動禁止の状態を解除するようにしたので、解除操作の手続きを複雑にし、特定者以外の者による不正な解除操作を困難にすることができる。
【発明を実施するための最良の形態】
【００２２】
以下、本発明に係る遊技機の好適な実施形態としてスロットマシン１を説明する。図１は、スロットマシン１の外観構造を表した斜視図である。スロットマシン１は、矩形箱状のキャビネット２と、当該キャビネット２に開閉可能に取り付けられる前扉３とからなる筐体を備えている。通常時においては、図１に示されるように、前扉３がキャビネット２に対し閉塞した状態で施錠されている。
【００２３】
前扉３の前面側には、遊技者に面する化粧板としてのいわゆるフロントパネルが形成されている。フロントパネルの上段部には、高輝度のＬＥＤを内蔵する上部ランプ５やコーナーランプ６ａ、６ｂ、また、スピーカを内蔵する左右の放音部７ａ、７ｂなどが配設されている。
【００２４】
また、フロントパネル上段部の中央に、液晶表示装置８が配設されている。なお、上部ランプ５、コーナーランプ６ａ、６ｂ、液晶表示装置８は、ゲームを演出する演出手段として用いられる。
【００２５】
フロントパネルの中段部には、平坦な樹脂板からなる中パネル９が設けられ、中パネル９の中央に形成された四角形の透明領域である表示窓９ａを介して、キャビネット２内部の３個のリール１０ａ、１０ｂ、１０ｃが視認可能とされている。なお、各リール１０ａ、１０ｂ、１０ｃは、それぞれ独立して回転可能であり、それぞれの外周面に描かれた縦３個、横３列の図柄（図示略）が表示窓９ａを介して変動表示されるようになっている。
【００２６】
中パネル９の下方には、前方に若干突出する卓状の操作卓１８が形成されている。この操作卓１８には、ゲームに賭けるメダルを投入するためのメダル投入部１１と、ゲーム開始を操作指示するためのベットボタン１２と、リール１０ａ、１０ｂ、１０ｃの回転開始操作をするためのスタートレバー１３と、各リール１０ａ、１０ｂ、１０ｃの回転停止操作をするためのストップボタン１４ａ、１４ｂ、１４ｃ等がそれぞれ所定の位置に配設されている。
【００２７】
フロントパネルの下段部には、スロットマシン１のモデルタイプ等を遊技者へ認識させるための、例えば登場キャラクターの絵柄（図示略）などが印刷された略四角形のプラスチック板である下パネル１５が取り付けられている。
フロントパネルの最下部には、入賞等の際にメダルを払い出すためのメダル払出口１６と、メダル払出口１６から払い出されたメダルを貯留するための受け皿４ａが形成された下皿部材４が取り付けられている。また、下皿部材４には、スピーカを内蔵する放音部１７ａ、１７ｂがそれぞれ左右位置に形成されている。
【００２８】
かかる構成のスロットマシン１は、マイコンからなる後述の主制御基板１００（図２参照）によりゲーム動作が制御される。すなわち、スロットマシン１は、先のゲームにおいて入賞しメダルの払い出しを完了させた時、または先のゲームにおいてハズレが確定すると待機状態となる。この状態において、遊技者がベットボタン１２を押圧操作することにより、内部に貯留したメダル（クレジット）から当該ゲームにメダルが賭けられゲームが開始する。このゲーム開始の状態でスタートレバー１３が傾倒操作されると、主制御基板１００は、リール１０ａ、１０ｂ、１０ｃを一斉に回転させると同時に、表示窓９ａに設定される有効ラインに引き込み停止制御可能な図柄の組み合せ、すなわち内部役を抽選する。
【００２９】
この内部抽選により何れかの内部役を当選したとき（当選した内部役を「内部当選役」ともいう）、その結果が主制御基板１００のＲＡＭの所定記憶領域に設定される内部当選フラグにセットされる。なお、この内部当選フラグがセットされ入賞が内定している状態を「内部当選状態」という。
【００３０】
次に、主制御基板１００は、ストップボタン１４ａ、１４ｂ、１４ｃが押圧操作されるに応じて対応するリールを順に停止させる。そして、主制御基板１００は、全てのリール１０ａ、１０ｂ、１０ｃが停止したのを検知した後、各リールが有効ラインに表示する図柄の組み合せと、上述の内部当選フラグで参照される当選した入賞に係る図柄の組み合せとが一致するか否か判定する。そして、何れかの有効ラインにおいて図柄が一致したとき当該入賞が確定し、配当されるメダルの数だけクレジットが加算される。また、配当された結果、クレジットがその上限を超える場合には、その上限を超える枚数分のメダルをメダル払出口１６より遊技者に払い出している。
【００３１】
このように、スロットマシン１の遊技者は、リール１０ａ、１０ｂ、１０ｃを回転・停止させる遊技操作を行って変動表示した図柄が揃わなければ賭けたメダルを失うが、内部当選した組み合せで図柄を揃えることにより入賞が成立し賭けた以上のメダルを獲得し得るので、技量と運によりメダルを増やすという興趣を伴ったゲームを楽しむことができる。
【００３２】
次に、主制御基板１００の基板上にソケット２１０を介して装着されるＣＰＵチップ２００の脱着を封印する封印シール１５０と、封印シール１５０の剥離及び切断を監視する不正監視手段とを説明する。ここで、図２は、ＣＰＵチップ２００がソケット２１０に装着された状態での主制御基板１００の一部を表した斜視図である。
【００３３】
ここで、所定の電子部品の例であるＣＰＵチップ２００は、ＣＰＵコアと、ＲＯＭ及びＲＡＭ等の半導体メモリと、その他信号の入出力に関わるインタフェース回路等が集約された、遊技機専用のワンチップマイコンとして機能し、これらチップセットがパッケージ化されたディスクリートＩＣの形態を有している。なお、専用のワンチップマイコンを採用しない遊技機の場合やサブ制御基板の場合には、ディスクリートのＣＰＵまたはＲＯＭ等の電子部品の封印シールを監視対象として選択してもよい。
【００３４】
図２に示されるように、ソケット２１０は、主制御基板１００の実装面１００ａ（図では上側面）上に半田付けされて固定され、ＣＰＵチップ２００がソケット２１０に装着されることで当該スロットマシン１を制御する所定の電子制御回路が構成されている。
【００３５】
ＣＰＵチップ２００は、帯状の封印シール１５０によりソケット２１０からの脱着が封印されている。すなわち、封印シール１５０は、ＣＰＵチップ２００を跨ぐように密着し、各端部がソケット２１０の対向する両側端に近接する実装面１００ａ上に貼着されている。これにより、ＣＰＵチップ２００は封印シール１５０を剥がすか若しくは切断しない限り、ソケット２１０から脱着することができない構造となっている。
【００３６】
図３は、封印シール１５０の概略構造を表した平面図、図４はその縦断面図である。封印シール１５０は、切断されやすい樹脂材からなるベースシート１５０ａの長手方向中央に、いわゆるパッシブタイプのＲＦＩＤタグであるＩＣタグ１５１とＩＣタグ１５１による無線信号を送受信するための薄膜のシートアンテナ１５６が内蔵されている。
【００３７】
ベースシート１５０ａの両側面には、封印シール１５０が基板面に貼着される貼着力よりも小さい粘着力を有する粘着層１５０ｂ、１５０ｃが粘着形成されている。ベースシート１５０ａの両側面で粘着層１５０ｂ及び１５０ｃの境界に上述のシートアンテナ１５６がＡｕ、Ａｇ、Ｃｕ等の導電性の薄膜をエッチングすることで設けられている。
【００３８】
ＩＣタグ１５１は、パッケージ内に、メモリ１５２、通信制御部１５３及び送受信部１５４等を内蔵して形成されている。通信制御部１５３は、送受信部１５４が外部との電磁波信号（以下「無線信号」）を介した通信（以下「無線通信」）を所定の手続（プロトコル）で確立し、所定のデータフォーマットで外部から送られてくる書込要求信号をシートアンテナ１５６で受信したとき、その書込要求信号に含まれるデータを要求されるメモリ１５２のアドレスに書き込んで記憶させる。また、通信制御部１５３は、外部との無線通信が確立し所定のデータフォーマットの読取要求信号を受信したとき、これに応答して当該読取要求信号が示すアドレスに記憶されたデータをメモリ１５２から読み取り、送受信部１５４に指令して、読み取ったデータを含む応答無線信号をシートアンテナ１５６から出力させる。
【００３９】
封印シール１５０がＣＰＵチップ２００を封印する初期設定時には、ＩＣタグ１５１のメモリ１５２内に当該主制御基板１００または当該スロットマシン１を識別させる固有の識別コード（例えば製造番号等）を予め記憶させている。
【００４０】
上述したように封印シール１５０のベースシート１５０ａは、主制御基板１００の基板面（実装面１００ａ）に貼着される貼着力よりも小さいせん断力で破断する素材で形成され、または貼着力よりも小さなせん断力で破断するような例えば肉薄若しくは破線状に切れ目孔が開けられた容易破断部（不図示）が形成されている。すなわち、封印シール１５０を主制御基板１００から剥がそうとしたときには、基板面に貼着する側の粘着層１５０ｃが基板面に残されてベースシート１５０ａが剥がされるか、またはベースシート１５０ａの何れかの部分で破断（切断）するため、これによりＣＰＵチップ２００がソケット２１０から脱着された事実、または脱着まで至らなくても封印が一旦解かれた事実が切断された痕跡として残されるようになっている。同時に内部のシートアンテナ１５６が切断破壊され、内蔵されているＩＣタグ１５１は、外部との無線通信ができなくなる。
【００４１】
次に、上述のＩＣタグ１５１との間で無線通信をすることにより、封印シール１５０の剥離及び切断を迅速かつ確実に検知するようにした不正監視手段の詳細を説明する。ここで、図５は、不正監視手段の一つの実施形態を表したブロック図である。
【００４２】
この不正監視手段は、主制御基板１００に設けられ、アンテナパターン１０１と、ＩＣタグ１５１と間で無線信号を送受信するＲＦＩＤ送受信部１０２と、受信した無線信号からデータを復調して取得するデータ復調部１０３と、ＲＦＩＤ送受信部１０２が受信した無線信号のレベルを検出するレベル検出部１０４と、判定制御部１０５と、メモリ１０６とを備えている。
【００４３】
アンテナパターン１０１は、主制御基板１００の基板上でソケット２１０の近傍にプリント形成される。本実施形態では、ソケット２１０に対して交差し、封印シール１５０に対向するようにプリントパターンが形成されている（図２及び図５参照）。
【００４４】
ＲＦＩＤ送受信部１０２は、例えば一定時間間隔で定期的に随時、ＩＣタグ１５１に対し読取要求信号を送信する。そして、封印シール１５０がＣＰＵチップ２００を正しく封印した状態（以下これを「封印状態」という）であり、シートアンテナ１５６が破壊されていなければ、ＩＣタグ１５１は、メモリ１５２内の識別コードを含むデータをＲＦＩＤ送受信部１０２へ返信する。
【００４５】
ＲＦＩＤ送受信部１０２は、この無線信号を受信し、データ復調部１０３が受信信号を復調してＩＣタグ１５１が記憶している識別コードのデータを抽出し、判定制御部１０５へ入力する。同時に、レベル検出部１０４は、受信した無線信号の信号レベルを検出し、判定制御部１０５へ入力する。
【００４６】
判定制御部１０５は、メモリ１０６で参照される識別コードのデータと、入力したＩＣタグ１５１からの識別コードのデータとが一致するか或いは対応する関係にあるか照合する。そして、判定制御部１０５は、２つの識別コードデータに対応関係が認めらなければ、異常とみなしてハイレベル（Ｈ）の検知信号を状態保持手段としてのラッチ回路１２０へ出力する。
【００４７】
また、判定制御部１０５は、レベル検出部１０４が検出した無線信号の信号レベルがメモリ１０６で参照される所定の基準値以下である場合にも異常とみなしてハイレベル（Ｈ）の検知信号をラッチ回路１２０へ出力する。
【００４８】
つまり、封印シール１５０が剥がされ、切断され、または一部が欠損すると、内部のシートアンテナ１５６も切断破壊し、ＩＣタグ１５１は、ＲＦＩＤ送受信部１０２との無線通信ができなくなる。その結果、レベル検出部１０４が検出する受信レベルもゼロか若しくは著しく低下するため、判定制御部１０５は、かかる特性に基づき封印シール１５０の剥離及び切断を検知している。
【００４９】
上述したように、判定制御部１０５は、識別コードのエラー（不一致）または封印シール１５０の剥離若しくは切断を判定すると、ハイレベル（Ｈ）の検知信号を状態保持手段としてのラッチ回路１２０へ出力する。ラッチ回路１２０は、判定制御部１０５からの検知信号を保持することができる、例えばフリップフロップ回路から構成される。すなわち、ラッチ回路１２０は、ハイレベル（Ｈ）の検知信号がセット入力Ｓに入力されると出力Ｑをハイレベル（Ｈ）に設定し、それ以降、状態解除信号がリセット入力Ｒに入力されるまでこの状態を保持する。
【００５０】
つまり、一旦、判定制御部１０５が封印シール１５０の剥離または切断を検知すると、ラッチ回路１２０はこの状態を保持するとともに、この間、出力Ｑから異常報知信号とともにＣＰＵチップ２００を動作させないようにする作動禁止信号を出力する。図５に示されるように、ラッチ回路１２０の出力Ｑは、例えば反転回路１２３を介してＣＰＵチップ２００のチップイネーブル（ＥＮＡＢＬＥ）またはチップセレクト（ＳＥＬ）端子に対応するピン端子に接続されている。すなわち、封印シール１５０の剥離または切断が一旦検知されると、ＣＰＵチップ２００のチップイネーブル（ＥＮＡＢＬＥ）またはチップセレクト（ＳＥＬ）端子に反転されたローレベル（Ｌ）の信号が入力されるため、ＣＰＵチップ２００の動作が禁止される。これとともに、出力Ｑからの信号を異常報知信号として異常報知手段へ出力することで、不正行為等に起因する異常の発生を内外へ報知することができる。
【００５１】
異常報知手段としては、具体的には例えばスロットマシン１の上部ランプ５、コーナーランプ６ａ、６ｂ等のランプ類、放音部７ａ、７ｂ、１７ａ、１７ｂ等のスピーカまたは液晶表示装置８等であり、図示しないサブ制御基板が異常報知信号を受信するに応じてこれらの手段に音や光及び映像等による警報を出力させる。また、ホールの管理コンピュータであるホールコンピュータへ異常の発生を報知してもよい。
【００５２】
ラッチ回路１２０へ状態解除信号を出力することで保持状態を解除する状態解除手段は、スロットマシン１の例えば主電源装置１２２のメインスイッチＭＳＷと所定鍵ＫＥＹで操作入力されるキースイッチＫＳＷ等の複数の操作入力手段と、デコード回路１２１とにより構成されている。また、必要に応じて状態解除手段の操作入力手段に第三の操作入力スイッチＳＳＷを加えてもよい。この第三の操作入力スイッチＳＳＷは、例えば設定スイッチ、リセットスイッチ、精算スイッチなどであり、これら組み合わせるものであってもよい。また、第三の操作入力スイッチＳＳＷは、スロットマシン１に既存のスイッチを代用（兼用）しないで新たに設けてもよい。
【００５３】
なお、状態解除手段の操作入力手段として挙げたメインスイッチＭＳＷ、キースイッチＫＳＷ、第三の操作入力スイッチＳＳＷ等はあくまでも例示であり、実際上、どのスイッチが操作入力手段を構成するかは特定者以外には秘密として管理される。
【００５４】
図５の例では、所定の解除操作である、例えばメインスイッチＭＳＷ、キースイッチＫＳＷ及び操作入力スイッチＳＳＷが同時に、または所定の順序でオンされたときなどに、デコード回路１２１がこれを論理判定して状態解除信号を生成し、ラッチ回路１２０のリセット入力Ｒへ状態解除信号を入力する。これにより、ラッチ回路１２０の保持状態が解除されるとともに出力Ｑがローレベル（Ｌ）、すなわち作動禁止信号がネガティブとなり、ＣＰＵチップ２００の動作を復帰させる。
【００５５】
以上説明したスロットマシン１によれば、例えば不正に封印シール１５０を基板から剥がそうとしたときには、内部のシートアンテナ１５６とともに封印シール１５０が切断破壊される。そのため、主制御基板１００のＲＦＩＤ送受信部１０２は、封印シール１５０に内蔵されているＩＣタグ１５１とのＲＦＩＤ無線通信ができなくなるので、封印シール１５０の異常や不正を直ちに検知することができる。また、例えば鋭利なカミソリ等の刃を使って封印シール１５０を切断せずに剥離した場合や、封印シール１５０の一部に切れ目を入れただけでも無線通信ができなくなるため、不正を迅速かつ確実に検知することができる。したがって、不正行為の完遂を未然にかつ確実に防止することができる。
【００５６】
また、封印シール１５０が剥離または切断されると、ラッチ回路１２０がこの状態を保持し、それ以降ＣＰＵチップ２００の動作を電気的に禁止するようにした。これにより、データやプログラムを改造した不正なＣＰＵチップ２００の差し換えによるゲームの実行を不可能にすることができる。
【００５７】
また、例えばメインスイッチＭＳＷ、キースイッチＫＳＷ、操作入力スイッチＳＳＷ等の複数の操作入力手段からのスイッチ出力の論理判定の結果に基づいて、ＣＰＵチップ２００の動作禁止状態を解除するようにしたので、解除操作の手続きを複雑にし、ホールの管理責任者等の特定者以外の者による不正な解除操作を防止することもできる。
【図面の簡単な説明】
【００５８】
【図１】本発明に係る遊技機の一実施形態であるスロットマシンの外観斜視図である。
【図２】図１に示したスロットマシンにおける、ＣＰＵチップがソケットに装着された状態での主制御基板の一部を表した斜視図である。
【図３】実施形態による封印シールの概略構造を表した平面図である。
【図４】図３に示した封印シールの縦断面図である。
【図５】図１に示したスロットマシンに備えられる不正監視手段の一実施形態を表したブロック図である。
【符号の説明】
【００５９】
１  スロットマシン
２  キャビネット                          ３  前扉
４  下皿部材                              ５  上部ランプ
６ａ、６ｂ  コーナーランプ                ７ａ、７ｂ  放音部
８  液晶表示装置                          ９  中パネル
９ａ  表示窓                              １０ａ、１０ｂ、１０ｃ  リール
１１  メダル投入部                        １２  ベットボタン
１３  スタートレバー                      １４ａ、１４ｂ、１４ｃ  ストップボタン
１５    下パネル                          １６  メダル払出口
１７ａ、１７ｂ  放音部                    １８  操作卓
１００  主制御基板
１０１  アンテナパターン                  １０２  ＲＦＩＤ送受信部
１０３  データ復調部                      １０４  レベル検出部
１０５  判定制御部                        １０６  メモリ
１２０  ラッチ回路                        １２１  デコード回路
１２２  主電源装置                        １２３  反転回路
１５０  封印シール                        １５０ａ  ベースシート
１５０ｂ、１５０ｃ  粘着層                １５１  ＩＣタグ
１５２  メモリ                            １５３  通信制御部
１５４  送受信部                          １５６  シートアンテナ
２００  ＣＰＵチップ                      ２１０  ソケット
Ｑ  出力                                  Ｒ  リセット入力
Ｓ  セット入力                            ＫＳＷ  キースイッチ
ＭＳＷ  メインスイッチ                    ＳＳＷ  操作入力スイッチ
【図１】
2009050537.tif 000003
【図２】
2009050537.tif 000004
【図３】
2009050537.tif 000005
【図４】
2009050537.tif 000006
【図５】
2009050537.tif 000007